(57)【特許請求の範囲】
【請求項１】
遊技球が流下する遊技領域が画成された遊技盤を備えた遊技機において、
第１状態と第２状態とに状態変化するよう構成されると共に電磁波により第２状態から第１状態に状態変化される状態変化手段、および該状態変化手段を第２状態に維持する状態維持手段を備えた不正検出手段と、
前記状態変化手段が第１状態に状態変化されたときに不正行為があったと判定する制御手段と、
前方に向けて発光する複数の発光部とを備え、
前記不正検出手段は、前記複数の発光部の間に配置されて各発光部に隣接すると共に、各発光部の照射範囲から外れるよう構成した
ことを特徴とする遊技機。
【請求項２】
前記不正検出手段は、前記複数の発光部の間に位置する透明な設置収容部に設置され、該設置収容部に、発光部の照射範囲から退避する逃げ部が形成されている請求項１記載の遊技機。
【請求項３】
前記遊技盤の後側に、遊技機構成部材が設置された設置部材が配設され、該遊技機構成部材に、前記不正検出手段および発光部が設けられている請求項１または２記載の遊技機。
【請求項４】
前記状態変化手段は、検出コイルと発振回路と発振検出回路とを備え、発振回路の発振を発振検出回路が検出した第１状態と、該発振回路の発振の停止または減衰を発振検出回路が検出した第２状態とに状態変化する検出センサユニットであって、該検出センサユニットは、該検出コイルが設けられた検出口を備え、
前記状態維持手段は、前記検出口に配設されて前記発振回路の発振を停止または減衰させる金属球であり、
前記不正検出手段は、検出センサユニットの検出口が前記遊技盤に対し斜め方向に開口するよう配設される請求項１〜３の何れか一項に記載の遊技機。
【請求項５】
前記状態維持手段は、遊技球である請求項１〜４の何れか一項に記載の遊技機。
【発明の詳細な説明】
【技術分野】
【０００１】
この発明は、電磁波を用いた不正行為を検出する不正検出手段を備えた遊技機に関するものである。
【背景技術】
【０００２】
例えば、遊技機の代表例の一つであるパチンコ機は、機内にセットされる遊技盤の盤面にパチンコ球が打出される遊技領域が画成されている。遊技盤の後側には、各種図柄を変動表示して図柄変動演出を行なう図柄表示装置が配設される。また、前記遊技盤には、図柄表示装置の下方位置に、該図柄表示装置での図柄変動演出を開始させる契機となる始動入賞装置が配設されている。前記始動入賞装置には、球検出センサが設けられており、前記遊技領域を流下するパチンコ球が、始動入賞装置に設けた始動口に入賞して球検出センサに検出されることで、図柄表示装置での図柄変動演出を開始させると共に、パチンコ球を賞球として払出すよう構成されている。そして、図柄変動演出の結果、図柄表示装置に所定の組合わせ(例えば同一図柄の三つ揃い等)で図柄が停止すると、遊技者に有利な所謂大当りが発生し、特別入賞装置の特別入賞口が開放して、大量の賞球が払い出されるよう構成されている。
【０００３】
ところが、近年では、前記始動入賞装置や特別入賞装置に対して不正行為を行って、賞球を大量に獲得する所謂ゴト行為が発生して問題となっている。そこで、このような不正行為に対応したものとして、例えば特許文献１には、前枠の下球皿の底部に針金等の不正器具を検知する検知センサを設置したパチンコ機が提案されている。この検知センサは、ラインセンサ等の物体の移動方向を検知する非接触式センサであって、下球皿から針金等の不正器具を遊技領域に差し込んで、始動入賞装置の始動口や特別入賞装置の特別入賞口を強制開放しようとした際に、検知センサが不正器具を検知することで不正行為を捉えるものである。
【先行技術文献】
【特許文献】
【０００４】
【特許文献１】特開２００２−１５９６９７号公報
【発明の概要】
【発明が解決しようとする課題】
【０００５】
ところが、特許文献１のように、パチンコ機前側から視認する位置に検知センサが設置されていると、該検知センサが不正行為者に発見されてしまい、検知センサの設置位置を認識した上で、検知センサの検知範囲を避けるようにして不正行為を実施される問題がある。一方、パチンコ機前側から検知センサを完全に視認不能とするため、パチンコ機の裏側に検知センサを設置した場合には、検知センサの周囲に液晶表示装置や電源装置等の各種電気部品が存在して、検知センサに影響を及ぼす虞がある。すなわち、検知センサは、不正行為者に発見されないようパチンコ機側から視認不能な状態で設置することが好ましいものの、検知センサの検知範囲や不正防止対象物との位置関係から、当該検知センサをパチンコ機前側から視認可能な位置に設置する必要があり、このような場合における不正検知の実効性の向上が求められている。
【０００６】
すなわち、本発明は、従来技術に係る遊技機に内在する前記問題に鑑み、これらを好適に解決するべく提案されたものであって、不正検出手段を遊技機前側から見え難くして、不正行為を抑制することができる遊技機を提供することを目的とする。
【課題を解決するための手段】
【０００７】
前記課題を解決し、所期の目的を達成するため、本発明に係る遊技機は、
遊技球が流下する遊技領域(34)が画成された遊技盤(12)を備えた遊技機において、
第１状態と第２状態とに状態変化するよう構成されると共に電磁波により第２状態から第１状態に状態変化される状態変化手段(126)、および該状態変化手段(126)を第２状態に維持する状態維持手段(127)を備えた不正検出手段(125)と、
前記状態変化手段(126)が第１状態に状態変化されたときに不正行為があったと判定する制御手段(31)と、
前方に向けて発光する複数の発光部(63,64)とを備え、
前記不正検出手段(125)は、前記複数の発光部(63,64)の間に配置されて各発光部(63,64)に隣接すると共に、各発光部(63,64)の照射範囲から外れるよう構成したことを要旨とする。
請求項１の発明によれば、発光部の間に不正検出手段を配設して、発光部から照射される光の影に不正検出手段が隠れるようにしたので、該不正検出手段が遊技機の前側から視認し難くなる。これにより、不正行為者が不正検出手段を発見するのは困難となり、不正検出手段の検出範囲を避けるように電磁気を放射する行為を抑制することが可能となる。
【０００８】
請求項２に係る遊技機では、前記不正検出手段(125)は、前記複数の発光部(63,64)の間に位置する透明な設置収容部(62)に設置され、該設置収容部(62)に、発光部(63,64)の照射範囲から退避する逃げ部(109)が形成されていることを要旨とする。
請求項２の発明によれば、発光部の照射範囲から退避する逃げ部を設置収容部に設けたから、発光部の光により設置収容部が照らされるのを防止して、遊技機前側から不正検出手段を視認し難くし得る。また、設置収容部に逃げ部を設けることで、設置収容部を極力前側に設けることができるから、不正検出手段を前方に位置させることができ、遊技盤の前方から放射される電磁気を捉え易くし得る。
【０００９】
請求項３に係る遊技機では、前記遊技盤(12)の後側に、遊技機構成部材(50)が設置された設置部材(14)が配設され、該遊技機構成部材(50)に、前記不正検出手段(125)および発光部(63,64)が設けられていることを要旨とする。
請求項３の発明によれば、不正防止手段および発光部を遊技機構成部材に設けたから、不正検出手段および発光部を常に適正な位置関係とし得る。従って、組付時の誤差等によって不正検出手段と発光部との位置関係がズレてしまい、不正検出手段が発光部の光で照らされてしまうのを防止することができる。また、不正検出手段と発光部とを設けた遊技機構成部材を１つのユニットとして取り扱い得るから、不正検出手段および発光部を適正な位置関係に保った状態で設置部材に容易に組付けることができ作業性を向上し得る。
【００１０】
請求項４に係る遊技機では、
前記状態変化手段は、検出コイル(131)と発振回路(F)と発振検出回路(G)とを備え、発振回路(F)の発振を発振検出回路(G)が検出した第１状態と、該発振回路(F)の発振の停止または減衰を発振検出回路(G)が検出した第２状態とに状態変化する検出センサユニット(126)であって、該検出センサユニット(126)は、該検出コイル(131)が設けられた検出口(130)を備え、
前記状態維持手段は、前記検出口(130)に配設されて前記発振回路(F)の発振を停止または減衰させる金属球(127)であり、
前記不正検出手段(125)は、検出センサユニット(126)の検出口(130)が前記遊技盤(12)に対し斜め方向に開口するよう配設されることを要旨とする。
請求項４の発明によれば、金属球を検出センサユニットの検出口に位置させるだけで、検出センサユニットを確実に第２状態に維持することができるので、検出センサユニットを第２状態に維持するための複雑な構造を必要としない。しかも、球体である金属球は、姿勢を考慮することなく検出口に位置させるだけで検出センサユニットを第２状態に維持し得るから、検出センサユニットおよび金属球の組み付け作業を効率的とし得る。また、検出口が開口する方向を遊技盤に対し傾斜させることで、遊技盤に対して斜め方向から放射される不正な電波を捉え易くして、不正行為を確実に検出することができる。
【００１１】
請求項５に係る遊技機では、前記状態維持手段は、遊技球(127)であることを要旨とする。
請求項５の発明によれば、状態維持手段として遊技球を採用したので、該遊技球を検出する既存の球検出センサを状態変化手段として用いることができ、新たに状態変化手段や状態維持手段を製造する必要がなく、コストを低廉にし得る。
【発明の効果】
【００１２】
本発明に係る遊技機によれば、不正検出手段を遊技機前側から視認し難くして、不正行為者が不正検出手段を発見するのを困難とし得る。
【図面の簡単な説明】
【００１３】
【図１】本発明の実施例に係るパチンコ機の正面図である。
【図２】実施例に係るパチンコ機を、中枠から遊技盤および前枠を外した状態で示す正面図である。
【図３】実施例に係る中枠の背面図である。
【図４】実施例に係る遊技盤を示す正面図である。
【図５】実施例に係る設置部材の正面図である。
【図６】実施例に係る遊技盤を後側から見た状態で示す斜視図である。
【図７】実施例に係る設置部材の背面図である。
【図８】実施例に係るパチンコ機の制御構成を示すブロック図である。
【図９】実施例に係る発光演出装置を前側から見た状態で示す分解斜視図である。
【図１０】実施例に係る発光装置本体を前側から見た状態で示す分解斜視図である。
【図１１】(ａ)は発光装置本体の正面図であり、(ｂ)は発光装置本体の左側面図である。
【図１２】図４のI−I線断面図であって、遊技盤の下部側を拡大して示す。
【図１３】図１５のII−II線断面図であって、発光演出装置の下部側を拡大して示す。
【図１４】(ａ)は前ケース部材の正面図であり、(ｂ)は前ケース部材の背面図であり、(ｃ)は前ケース部材から下発光部を取り外した状態を後側から見た斜視図である。
【図１５】実施例に係る発光演出装置の正面図である。
【図１６】実施例に係る第２特別入賞装置を示す斜視図である。
【図１７】(ａ)は球検出センサを示す概略図であり、(ｂ)は非検出時、球通過時および不正電波行為時における球検出センサの出力信号を示す図である。
【図１８】実施例に係る検出センサユニットの回路構成を示すブロック図である。
【図１９】(ａ)は発振検出状態での検出センサユニット内の信号の流れを示すブロック図であり、(ｂ)は発振非検出状態での検出センサユニット内の信号の流れを示すブロック図である。
【図２０】正常時および不正行為時において主制御装置に入力される信号波形を示す図である。
【図２１】不正電波行為時での検出センサユニット内の信号の流れを示すブロック図である。
【図２２】検出センサユニットの検出範囲を示す図である。
【図２３】不正電波行為時および不正磁気行為時における各装置での報知方法を示す図である。
【図２４】変更例に係るパチンコ機の制御構成を示すブロック図である。
【発明を実施するための形態】
【００１４】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、特に断りを入れた場合を除き、図１に示すようにパチンコ機を前側(遊技者側)から見た状態で指称する。
【実施例】
【００１５】
実施例に係るパチンコ機１０は、図１に示すように、矩形枠状に形成されて遊技店の図示しない設置枠台に縦向きに設置される固定枠としての矩形枠状の外枠１１の開口前面側に、後述する遊技盤１２を着脱可能に保持する本体枠としての中枠１３が開閉および着脱可能に組付けられると共に、遊技盤１２の後側に配設された設置部材１４に対して、各種図柄を変動表示可能な液晶表示装置(図柄表示装置)１５が着脱自在に取付けられるよう構成される。また、前記中枠１３の前面側には、前後に開口する窓口１３ａを覆うようにガラス板等の透視保護板(図示せず)を備え、該窓口１３ａを介して前記遊技盤１２を透視可能な装飾枠としての前枠１６が開閉可能に組み付けられると共に、該前枠１６の下方にパチンコ球を貯留する下球受け皿１７が開閉可能に組み付けられる。前記前枠１６には、フルカラーＬＥＤ等の発光体を実装した発光体基板(何れも図示せず)を備えたランプ装置(報知手段)１８が窓口１３ａに沿って環状に配設されている。前記ランプ装置１８は、後述する統括制御装置１９に電気的に接続され、該統括制御装置１９の制御に基づいて発光体が点灯・点滅したり、発光色を変更させたりするようになっている。なお、前記ランプ装置１８の前側は、光透過性のランプカバー１８ａで被覆してある。前記前枠１６の下部位置に、パチンコ球を貯留する上球受け皿２０が一体的に組み付けられており、前枠１６の開閉に合わせて上球受け皿２０も一体的に開閉するよう構成される。
【００１６】
前記中枠１３は、図２に示すように、上下左右の縁部をなす枠部材１３ａ〜１３ｄにより、全体が前記外枠１１の開口に整合する矩形枠状に形成される。そして、中枠１３の前後に開口する開口縁部が、前記遊技盤１２を設置する遊技盤保持部２１として機能するよう構成されている。下枠部材１３ｂの前側には、効果音や警告音等を出力するスピーカ(報知手段)２２やパチンコ球を遊技領域３４(後述)に打ち出す打球発射装置２３が設置されると共に、遊技者により回動操作されて打球発射装置２３を作動させる操作ハンドル２４が設けられている。
【００１７】
図３に示すように、前記上枠部材１３ａの後側には、設置枠台等に設けられた外部球供給設備から供給されるパチンコ球を貯留する球タンク２５が、該上枠部材１３ａの左右幅の略全幅に亘って設けられている。また、下枠部材１３ｂの後側には、前記上下の球受け皿２０,１７に連通する球供給路や設置枠台に設けた球回収樋に連通する球排出路(何れも図示せず)が夫々形成されたセット部材２６が配設されている。前記球タンク２５とセット部材２６とは、各部材２５,２６における左枠部材１３ｃ側の端部間に架設された球通路ユニット２７を介して連通接続されており、該球通路ユニット２７に配設された球払出装置２８の駆動により球タンク２５に供給されたパチンコ球を前記上下の球受け皿２０,１７へ給出するよう構成されている。このセット部材２６には、前記球払出装置２８を駆動制御する払出制御装置２９、前記打球発射装置２３を駆動制御する発射制御装置３０等が配設されている。前記払出制御装置２９は、前記パチンコ機１０の後側に配設される主制御装置(制御手段)３１に後述する第３中継基板５７を介して電気的に接続されており、該主制御装置３１から入力される制御信号に基づいて、払出制御装置２９が球払出装置２８を制御するようになっている(図８参照)。
【００１８】
図４に示すように、前記遊技盤１２は、アクリルやポリカーボネート等の光透過性を有する無色透明な合成樹脂材から前記中枠１３の遊技盤保持部２１に整合する略矩形平板状に形成される。遊技盤１２の後面には、図５に示すように、各種遊技機構成部材が設置された箱状の設置部材１４が組み付けられ、遊技盤１２に形成された図柄表示開口部１２ａおよび設置部材１４に形成された可視表示部１４ａ(後述)を介して液晶表示装置１５の表示部１５ａを遊技盤１２の前面側から視認し得るよう構成されている。また、前記遊技盤１２には、図６に示すように、下部中央に前後方向に開放する央部設置孔１２ｂが形成される。更に、央部設置孔１２ｂの左側(図６では右側)に左部設置孔１２ｃが形成されると共に、央部設置孔１２ｂの右側(図６では左側)に右部設置孔１２ｄが形成されている。
【００１９】
図４に示すように、前記遊技盤１２の前面には、内レール３２と外レール３３とが半円弧状に配設されて、両レール３２,３３によりパチンコ球が流下可能な遊技領域３４が画成され、前記打球発射装置２３から発射されたパチンコ球が遊技領域３４内に打ち出されるようになっている。また、前記遊技盤１２の央部設置孔１２ｂには、前記遊技領域３４を流下するパチンコ球が入賞可能な始動入賞装置３５が配設されている。始動入賞装置３５は、上下に設けた２つの入賞口(上部入賞口３５ａおよび下部入賞口３５ｂ)を備えている。始動入賞装置３５の始動装置本体３５ｃ(図６参照)には、上部入賞口３５ａに入賞したパチンコ球を検出する上部始動球検出センサ３６と、下部入賞口３５ｂに入賞したパチンコ球を検出する下部始動球検出センサ３７とが設けられている(図８参照)。前記上部始動球検出センサ３６および下部始動球検出センサ３７は、前記主制御装置３１に接続されており、両センサ３６,３７から出力されるパチンコ球の検出信号は、主制御装置３１に入力される。そして、主制御装置３１は、上部始動球検出センサ３６または下部始動球検出センサ３７から検出信号を受けると、大当たり抽選を行うと共に、統括制御装置１９に制御信号を出力して、前記液晶表示装置１５に図柄変動演出を行わせるようになっている。更に、主制御装置３１は、前記払出制御装置２９に制御信号を出力して、前記球払出装置２８に所定数の賞球を払い出させるようになっている。
【００２０】
前記遊技盤１２における始動入賞装置３５の下方には、第１特別入賞装置３８が配設されており、前記大当たり抽選の結果、第１の大当たりが発生すると、液晶表示装置１５の表示部１５ａに所定の図柄組み合わせで図柄が停止表示されて、第１特別入賞装置３８の第１特別入賞口(図示せず)が開放するようになっている。第１特別入賞装置３８の第１特別装置本体３８ａ(図６参照)には、第１中継基板５５(後述)を介して前記主制御装置３１に電気的に接続された第１特別球検出センサ３９が設けられている(図８参照)。そして、第１特別球検出センサ３９がパチンコ球を検出すると、主制御装置３１は、前記払出制御装置２９に制御信号を出力して、前記球払出装置２８に賞球を払い出させるようになっている。
【００２１】
前記遊技盤１２の右部設置孔１２ｄには、第２特別入賞装置４０が配設されている。この第２特別入賞装置４０は、図１６に示すように、前記右部設置孔１２ｄを前側から覆うように遊技盤１２の盤面に取り付けられる飾り板部４１と、飾り板部４１の前側に突出するよう設けた箱体状の本体受部４２と、飾り板部４１の後側に設けられる第２特別装置本体４０ａ(図６参照)とを備える。本体受部４２は、上方に開口する箱状に形成され、該本体受部４２の上部開口が第２特別入賞口(図示せず)とされる。この第２特別入賞口は、前記第２特別装置本体４０ａに前後方向に進退自在に設けた遮蔽板４０ｂにより開閉されるようになっている。そして、前記大当たり抽選の結果、第２の大当たりが発生すると、遮蔽板４０ｂが後方に移動して第２特別入賞口が開放され、パチンコ球が入賞するようになっている。第２特別入賞装置４０の第２特別入賞口に入賞したパチンコ球は、遊技盤１２の後方へ送られ、後述する発光演出装置５０に設けた第２特別球検出センサ９７で検出されるようになっている。第２特別球検出センサ９７でパチンコ球が検出されると、前記主制御装置３１が払出制御装置２９に制御信号を出力し、前記球払出装置２８に賞球を払い出させるよう構成される。なお、第２特別入賞装置４０の第２特別入賞口にパチンコ球を入賞させる場合には、前記操作ハンドル２４を大きく回動させてパチンコ球を強く打ち出し、遊技領域３４の右側を流下させる所謂「右打ち」が行われる。
【００２２】
前記飾り板部４１の左部には、前後方向に開放する設置開口部４１ａが形成され、該設置開口部４１ａに演出飾り部４３が嵌合した状態で設置されている。この演出飾り部４３は、前面に所要の装飾が施された光透過性を有する装飾部材であって、図６に示すように、演出飾り部４３の後部が前記右部設置孔１２ｄを介して遊技盤１２の後面に臨んでいる。そして、演出飾り部４３は、前記発光演出装置５０の後述する下発光部６３から照射された光により明輝されるようになっている。なお、前記遊技盤１２の左部設置孔１２ｃには、複数の一般入賞口４４ａ,４４ａ,４４ａを備えた一般入賞装置４４が設けられており、一般入賞口４４ａ,４４ａ,４４ａにパチンコ球が入賞することで、賞球が払い出されるようになっている。ここで、前述したように、前記遊技盤１２は、光透過性を有する透明部材で構成されている。従って、遊技盤１２の遊技領域３４において、始動入賞装置３５や第１,第２特別入賞装置３８,４０、一般入賞装置４４等が設置された箇所を除く部分は、遊技盤１２を介して後方を視認可能となっている。すなわち、遊技者は、パチンコ機１０の前側から遊技盤１２を介して設置部材１４に設けた発光演出装置５０や可動演出装置４９等(何れも後述)を視認し得るようになっている。
【００２３】
〔設置部材について〕
図５に示すように、前記設置部材１４は、前記遊技盤１２に対向する略矩形状の対向面部４５と、該対向面部４５の周縁部から前方に延出する外周壁部４６とから前方に開放する箱状に形成されている。前記外周壁部４６の前端部には、設置部材１４の開口外側へ延出する設置固定部４７が複数形成されている。そして、設置固定部４７を遊技盤１２の後面に当接した状態で、各設置固定部４７を遊技盤１２にネジ止めすることで、設置部材１４が遊技盤１２に着脱自在に取付けられる。前記設置部材１４の上部には、遊技状態に合わせて可動演出を行う可動演出装置４９が配設されている。また、前記設置部材１４の右側下部には、遊技状態に合わせて発光演出を行う発光演出装置(遊技機構成部材)５０が配設されている。図７に示すように、前記対向面部４５には、前後方向に開放する略矩形状の可視表示部１４ａが設けられており、以下の説明において、対向面部４５における可視表示部１４ａの上側部分を上対向面部４５ａと指称し、可視表示部１４ａの下側部分を下対向面部４５ｂと指称する。
【００２４】
前記対向面部４５の後側には、液晶装着部５１(図７参照)が設けられ、該液晶装着部５１に、前記液晶表示装置１５が表示部１５ａを可視表示部１４ａに臨ませるように後側から取り付けられる。液晶表示装置１５の後側には、パチンコ機１０の遊技演出を統括的に制御する統括制御装置１９が配設される(図３参照)。図８に示すように、統括制御装置１９は、前記液晶表示装置１５、ランプ装置１８およびスピーカ２２に電気的に接続されており、該統括制御装置１９から出力される演出制御信号に基づいて、各種装置１５,１８,２２が作動制御されるようになっている。また、統括制御装置１９は、前記可動演出装置４９および発光演出装置５０の演出動作を制御するよう構成される。図７に示すように、前記下対向面部４５ｂの後面には、左右に隣接して複数(実施例では３つ)の中継基板保持部５２,５３,５４が設けられ、各中継基板保持部５２,５３,５４に中継基板５５,５６,５７が着脱自在に配設される。なお、以下の説明において、図７の右側に位置する中継基板を第１中継基板５５と指称し、図７の左側に位置する中継基板を第２中継基板５６と指称し、図７の中央に位置する中継基板を第３中継基板５７と指称する。
【００２５】
図８に示すように、前記第１中継基板５５には、後述する不正検出装置１２５(不正検出手段)や磁気センサ８３、前記第１,第２特別球検出センサ３９,９７が接続される。第２中継基板５６には、前記可動演出装置４９および発光演出装置５０の発光基板６３ａ,６８,６９(後述)から導出する配線(何れも図示せず)が接続されると共に、前記統括制御装置１９が接続されている。前記第３中継基板５７には、前記払出制御装置２９が接続されている。前述のように、前記主制御装置３１には、前記上部始動球検出センサ３６や下部始動球検出センサ３７、統括制御装置１９等の各種電気部品が直接接続されると共に、第１〜第３中継基板５５,５６,５７を介して第１,第２特別球検出センサ３９,９７や、払出制御装置２９等が電気的に接続されている。また、図８に示すように、主制御装置３１は、前記球通路ユニット２７に設けた外部端子板５８を介して遊技場の管理室等に設置されたホールコンピュータ(報知手段)５９に電気的に接続されている。更に、主制御装置３１は、不正検出装置１２５や磁気センサ８３からの出力信号に基づいて、不正行為の発生を判定するよう構成され、不正行為が発生した場合には、スピーカ２２等やホールコンピュータ５９等に異常を報知させるよう構成されている。
【００２６】
〔発光演出装置ついて〕
図５に示すように、前記発光演出装置５０は、前記設置部材１４における下対向面部４５ｂの右部に配設され、設置部材１４を遊技盤１２に取り付けた状態で、第２特別入賞装置４０の後方に位置するよう構成される。前記発光演出装置５０は、図９に示すように、設置部材１４に取り付けられる発光装置本体６０と、該発光装置本体６０の前側に配設される前ケース部材６１と、不正検出装置１２５を設置する設置収容部６２とから基本的に構成される。また、発光演出装置５０は、図１５に示すように、前方に光を照射する４つの発光部６３,６４,６５,６６を備えている。なお、以下の説明では、下側に位置する発光部を下発光部６３、左側に位置する円形の発光部を円状発光部６４、左右に並ぶ２つの長尺な発光部を左柱状発光部６５、右柱状発光部６６と夫々指称する。
【００２７】
図１０に示すように、前記発光装置本体６０は、ベース基板６７と、該ベース基板６７の後面に配設される２つの発光基板(左発光基板６８および右発光基板６９)と、該ベース基板６７の前側に配設される円状装飾部７０と、左右２つの柱状拡散部(左柱状拡散部７１および右柱状拡散部７２)と、左右２つの柱状装飾体(左柱状装飾体７３および右柱状装飾体７４)とを備えている。実施例の円状発光部６４は、ベース基板６７の円状拡散部８０(後述)と、前記円状装飾部７０と、前記左発光基板６８の円形部７５(後述)とで構成される。また、左柱状発光部６５は、ベース基板６７の左透過部８１(後述)と、前記左柱状拡散部７１と、前記左柱状装飾体７３と、前記左発光基板６８の線状部７６(後述)とから構成され、右柱状発光部６６は、ベース基板６７の右透過部８２(後述)と、前記右柱状拡散部７２と、前記右柱状装飾体７４と、前記右発光基板６９とから構成される。
【００２８】
前記左発光基板６８は、円形状の円形部７５および所定長さで延在する線状部７６で構成され、該円形部７５および線状部７６をベース基板６７の後面に対向させた状態で左発光基板６８がベース基板６７にネジ止めされる。円形部７５および線状部７６の前面には、複数のＬＥＤ素子７７,７８が設けられており、該ＬＥＤ素子７７,７８が発光することで、前方に光を照射するよう構成される。前記右発光基板６９は、所定長さで線状に延在しており、前記ベース基板６７の後面に右発光基板６９がネジ止めされる。右発光基板６９の前面には、複数のＬＥＤ素子７９が設けられ、該ＬＥＤ素子７９が発光することで、前方に光を照射するようになっている。なお、左発光基板６８および右発光基板６９から導出する配線(何れも図示せず)は前記第２中継基板５６に接続され、該第２中継基板５６を介して前記統括制御装置１９が左発光基板６８および右発光基板６９を発光制御するよう構成される。
【００２９】
図１０に示すように、前記ベース基板６７は、無色透明な薄板部材で構成される。ベース基板６７には、前記左発光基板６８の円形部７５に対応する円形状の円状拡散部８０と、該左発光基板６８の線状部７６に対応する左透過部８１と、右発光基板６９に対応する右透過部８２とが形成されている。前記円状拡散部８０、左透過部８１および右透過部８２は、前記ベース基板６７の前面から僅かに前方へ突出している。また、ベース基板６７の後面における円状拡散部８０、左透過部８１および右透過部８２に対応する部位は前方に凹んでおり、前記左発光基板６８および右発光基板６９をベース基板６７に取り付けた際に、当該凹み部分に左発光基板６８および右発光基板６９のＬＥＤ素子７７,７８,７９が臨むようになっている。前記円状拡散部８０の前面には、複数の突部８０ａが渦巻き状に並んで形成されており、前記左発光基板６８の円形部７５から照射された光が円状拡散部８０で拡散されるよう構成される(図１３参照)。前記左透過部８１および右透過部８２は、何れも平坦面をなしており、前記左発光基板６８の線状部７６および前記右発光基板６９から照射された光は、夫々、左透過部８１および右透過部８２をそのまま透過するようになっている。
【００３０】
図１１(ａ)に示すように、前記ベース基板６７には、前記左透過部８１の下方位置において前後方向に開放するセンサ取付孔６７ａが形成され、該センサ取付孔６７ａに磁気センサ８３(図１０参照)が取り付けられるようになっている。この磁気センサ８３は、磁石等から発せられる磁気を検出するものであって、遊技盤１２に磁石等を近付けて遊技領域３４を流下するパチンコ球を誘導する不正行為(以下、不正磁気行為という)を検出するためのものである。なお、磁気センサ８３から導出する配線(図示せず)は、前記第１中継基板５５に接続され、該磁気センサ８３が磁気を検出した際に出力される検出信号(以下、磁気検出信号という)は、第１中継基板５５を介して主制御装置３１に入力されるようになっている(図８参照)。
【００３１】
前記ベース基板６７には、前記設置収容部６２の後部を構成する後側構成部８４が前記円状拡散部８０(円状発光部６４)の下方に隣接して形成されている。図１１(ｂ)に示すように、後側構成部８４は、上方から下方に向けて後方傾斜する支持板部８５と、該支持板部８５の下端部から支持板部８５に対し略直角に前側へ延出する底部支持片８６と、支持板部８５の右縁部から前側に延出して設置収容部６２の右側面を構成する右側面部８７と、設置収容部６２の上面を構成する上面部８８とから構成される。前記支持板部８５は、矩形状の薄板部材であって、図１２に示すように、発光装置本体６０を遊技盤１２に取り付けた状態で、支持板部８５は、遊技盤１２に対し所定角度(例えば約６０°)傾斜している。前記支持板部８５の上部には、後方へ凹む半球状の後設置凹部８９が形成されている。前記上面部８８には、断面波状の表面処理が全体に施されており、該上面部８８を介して下側(不正検出装置１２５)を視認し難くしている。図１１(ａ)に示すように、底部支持片８６には、不正検出装置１２５の配線１２６Ｘを挿通する配線通孔９０が形成されている。
【００３２】
図１０に示すように、前記円状装飾部７０は、磨りガラス状の光拡散処理が施された円盤部９１と、該円盤部９１の前側に設けられ、前面に所要の装飾が施された無色透明な半球状部９２と、前記円状拡散部８０、円盤部９１および半球状部９２を内部に収容した状態で前記ベース基板６７に取り付けられるリング状部９３とから構成される。前記円盤部９１は、図１３に示すように、前記ベース基板６７に設置された状態で前記円状拡散部８０の前側に対向し、前記円状拡散部８０で拡散された光を円盤部９１で更に拡散させるようになっている。前記半球状部９２は、前記円状拡散部８０で拡散された光を透過させるよう構成される。前記リング状部９３は、前後方向に開放する円形状の開口部９３ａを備え、図１３に示すように、前記半球状部９２は、リング状部９３に収容された状態で開口部９３ａに臨むよう構成される。そして、前記半球状部９２を透過した光が遊技盤１２を透過することで、円状発光部６４の発光演出が遊技盤１２の前側から視認し得るよう構成される(図４参照)。
【００３３】
図１０に示すように、前記左柱状拡散部７１は、前記ベース基板６７の左透過部８１を覆うように配設される。左柱状拡散部７１は、無色透明な合成樹脂から形成されて、表面に光拡散処理が施されており、前記左透過部８１を透過した光を左柱状拡散部７１で拡散するよう構成される。左柱状拡散部７１で拡散された光は、前記遊技盤１２を透過して、左柱状発光部６５の発光演出が遊技盤１２の前側から視認可能とされる。前記左柱状装飾体７３は、メッキ処理が施された装飾部材であって、前記左柱状拡散部７１の前側に取り付けられる。この左柱状装飾体７３を設けることで、左柱状発光部６５の装飾性が高められている。なお、左柱状装飾体７３は、前記右柱状装飾体７４に連結部９４を介して連結している。
【００３４】
図１０に示すように、前記右柱状拡散部７２は、前記ベース基板６７の右透過部８２を覆うように配設される。右柱状拡散部７２は、前記左柱状拡散部７１と同様に、無色透明な合成樹脂から形成されて、表面に光拡散処理が施されており、前記右透過部８２を透過した光を右柱状拡散部７２で拡散するようになっている。右柱状拡散部７２で拡散された光は、前記遊技盤１２を透過して、右柱状発光部６６の発光演出が遊技盤１２の前側から視認可能とされる。前記右柱状装飾体７４は、左柱状装飾体７３と同様に、メッキ処理が施された装飾部材であって、前記右柱状拡散部７２の前側に取り付けられる。この右柱状装飾体７４を設けることで、右柱状発光部６６の装飾性が高められている。
【００３５】
図９に示すように、前記前ケース部材６１は、全体が無色透明な合成樹脂で形成されており、前記ベース基板６７の下部に取り付けられる。前ケース部材６１には、右側に球通路９５が画成されており、前記第２特別入賞装置４０に入賞したパチンコ球が球通路９５を流下して、設置部材１４の下方に排出されるようになっている。また、前ケース部材６１における球通路９５の上端には、センサ取付部９６が形成されており、該センサ取付部９６に前記第２特別入賞装置４０に入賞したパチンコ球を検出する第２特別球検出センサ９７が着脱自在に取り付けられる。そして、第２特別入賞装置４０に入賞したパチンコ球が第２特別球検出センサ９７の検出口９７ａを通過すると、該センサ９７がパチンコ球を検出するようになっている。なお、第２特別球検出センサ９７から導出する配線(図示せず)は、前記第１中継基板５５に接続されており、第２特別球検出センサ９７から出力された検出信号は、第１中継基板５５を介して主制御装置３１に入力される(図８参照)。
【００３６】
図１４(ａ),(ｂ)に示すように、前記前ケース部材６１における左右の略中央位置には、設置面部９８が形成され、該設置面部９８の後面に下発光部６３が取り付けられている。前記下発光部６３は、前記前ケース部材６１をベース基板６７に取り付けた状態で、前記円状発光部６４の下側斜め右方に位置すると共に(図１５参照)、円状発光部６４の前端(リング状部９３の前部)より前方に位置している(図１３参照)。また、図４,図１２に示すように、下発光部６３は、発光演出装置６０を設置部材１４に取り付けた状態で、前記第２特別入賞装置４０の演出飾り部４３の後方に臨むようになっている。前記下発光部６３は、基板６３ａに複数(実施例では２つ)のＬＥＤ素子６３ｂ,６３ｂが設けられて構成され、該ＬＥＤ素子６３ｂ,６３ｂが発光することで、前方に光を照射するようになっている。図１４(ａ)に示すように、前記設置面部９８には、前記下発光部６３のＬＥＤ素子６３ｂ,６３ｂに対応する位置に通過窓９９が形成されており、下発光部６３の光は、通過窓９９を介して前方へ照射される。そして、通過窓９９を通過した光は、前記遊技盤１２の演出飾り部４３に到達して、該演出飾り部４３を明輝させるようになっている。なお、下発光部６３から導出する配線(図示せず)は、前記第２中継基板５６に接続されており、統括制御装置１９により下発光部６３が発光制御される。
【００３７】
前記前ケース部材６１には、前記設置面部９８の左側上方に隣接して、前記設置収容部６２の前側を構成する前側構成部１００が形成されている。図１４(ａ)〜(ｃ)に示すように、前側構成部１００は、設置収容部６２の前面を構成する前面部１０１と、該前面部１０１の下端部から後方に延出して設置収容部６２の底面を構成する底面部１０２と、該前面部１０１の左側部(図１４(ｂ),(ｃ)では右側部)から後方に延出して設置収容部６２の左側面を構成する左側面部１０３と、該前面部１０１の後面から後方に延出する支持片１０５とから構成され、後方に開放する箱状に形成されている。そして、前ケース部材６１をベース基板６７に取り付けた際に、前側構成部１００が後側構成部８４に前側から整合して、前側構成部１００および後側構成部８４により不正検出装置１２５を設置するための設置収容部６２が構成されるようになっている(図１３参照)。
【００３８】
前記前面部１０１は、断面波状の目隠し処理が表面全体に施されており、前面部１０１を介して内部(不正検出装置１２５)を視認し難くしている。前面部１０１の上端部は、前ケース部材６１をベース基板６７に取り付けた状態で、図１３に示す如く、前記後側構成部８４の上面部８８の前端部に当接するようになっている。前記前面部１０１は、前ケース部材６１をベース基板６７に取り付けた状態で、前記円状発光部６４より前方に位置すると共に、前記下発光部６３より後方に位置するよう構成される。前記前面部１０１の上部には、前方に突出する半球状の前設置凹部１０７が形成されており、前ケース部材６１をベース基板６７に取り付けた状態で、前設置凹部１０７が後設置凹部８９に対し所定距離だけ離間して対向するようになっている。更に、前記前面部１０１の上部には、前方に突出する突状部１０８が形成されている。この突状部１０８は、斜め上方に臨む上斜面(逃げ部)１０９と、斜め下方に臨む下斜面１１０とから断面三角形状に形成されている。図１３に示すように、突状部１０８の上斜面１０９は、前記円状発光部６４の照射範囲から退避するよう後方から前方に向けて下方傾斜しており、円状発光部６４の光で前面部１０１が明輝されないようになっている。
【００３９】
前記左側面部１０３は、前記前ケース部材６１をベース基板６７に取り付けた状態で、前記上面部８８および支持板部８５を左方から覆うように当接するよう構成されている。左側面部１０３には、断面波状の目隠し処理が表面全体に施されており、左側面部１０３を介して内部(不正検出装置１２５)を視認し難くなっている。図１４(ｂ),(ｃ)に示すように、前記支持片１０５は、前記前面部１０１の後面における左右方向の中央部において、該前面部１０１の下端から前記前設置凹部１０７に至るまで上下方向に延在する薄板状部材で構成される。図１３に示すように、前記支持片１０５の上端部には、前方から後方に向けて下方傾斜する支持縁部１１２が形成されている。前記支持縁部１１２は、前ケース部材６１をベース基板６７に取り付けた状態で、前記支持板部８５と略平行に延在するようになっており、該支持板部８５と同様に、遊技盤１２に対し所定角度(約６０°)傾斜している。そして、支持片１０５は、支持縁部１１２が不正検出装置１２５に当接した状態で、該不正検出装置１２５を下側から支持するようになっている
【００４０】
〔電波による不正行為について〕
ここで、前述した２つの始動球検出センサ３６,３７や第１,第２特別球検出センサ３９,９７は、いわゆる誘導式近接スイッチであって、実施例のパチンコ機１０では、何れも同一のセンサ(以後、これらセンサ３６,３７,３９,９７を単に球検出センサＤという場合がある)が採用されている。図１７(ａ)に示すように、球検出センサＤは、発振回路等を備えたセンサ本体１２３とコイルが設けられてパチンコ球が通過可能な球通過口１２４とを基本構成としている。図１７(ｂ)に示す如く、球検出センサＤは、パチンコ球を検出していない状態(パチンコ球が球通過口１２４を通過していない状態)では、発振回路が発振して、高レベルの信号(以下、ハイレベル信号という)を出力するように設定されている。一方、球検出センサＤは、パチンコ球を検出している状態(パチンコ球が球通過口１２４を通過している間)では、発振回路の発振が停止または減衰して、低レベルの信号(以下、ローレベル信号という)を出力するように設定されている。そして、主制御装置３１は、球検出センサＤからの出力信号がハイレベル信号からローレベル信号に切り換わったときにパチンコ球を１カウントして、前記払出制御装置２９を制御して球払出装置２８に賞球を払い出させる。
【００４１】
ところが、この球検出センサＤに電波を放射して、該球検出センサＤの出力信号を強制的に変更する不正行為(以下、不正電波行為という)が行われることがある。一般的に、この不正電波行為は、図１２に示す如く、不正行為者が遊技盤１２の斜め下方に電波発生器Ｅを隠し持ち、始動入賞装置３５や第１,第２特別入賞装置３８,４０等が設けられた遊技盤１２の下部中央へ向けて電波を電波発生器Ｅから放射して行われる。この電波発生器Ｅから放射される電波を、パチンコ球が球通過口１２４を通過する間に球検出センサＤが浴びると、該球検出センサＤは、断続的な発振があったと誤検出してしまう。その結果、図１７(ｂ)に示すように、球検出センサＤは、ローレベル信号およびハイレベル信号を繰り返し出力し、前記主制御装置３１は、ハイレベル信号からローレベル信号に切り換わる度にパチンコ球をカウントすることとなる。その結果、主制御装置３１は、１個のパチンコ球が球通過口１２４を通過したのにも拘わらず複数個分カウントしてしまい、多くの賞球を払い出したり、大当たり抽選が行われてしまう虞がある。そこで、実施例のパチンコ機１０では、このような不正電波行為を検出するべく、不正検出装置(不正検出手段)１２５が設けられている。
【００４２】
〔不正検出装置について〕
図９,図１３に示すように、前記不正検出装置１２５は、検出センサユニット(状態変化手段)１２６と、検出用金属球(状態維持手段,金属球,遊技球)１２７とから基本的に構成されている。前記検出センサユニット１２６は、直方体状のセンサ装置本体１２９と、貫通孔が画成された円筒状の検出口１３０とから基本的に構成され、実施例では、前述した球検出センサＤと基本的に構成は同一である。前記センサ装置本体１２９の長手方向の寸法は、図１３に示すように、前記設置収容部６２における底部支持片８６と突状部１０８の上斜面１０９との離間距離より僅かに小さく設定される。また、センサ装置本体１２９の厚み方向(検出口１３０の開口方向)は、前記支持板部８５と支持片１０５の支持縁部１１２との離間距離より僅かに小さく設定される。更に、検出センサユニット１２６の短手方向の寸法は、前記左側面部１０３および右側面部８７の離間距離より僅かに小さく設定される。そして、検出センサユニット１２６は、前記設置収容部６２内に収容された状態では、センサ装置本体１２９の隅部が設置収容部６２の突状部１０８の後側に臨むと共に、前記底部支持片８６、上斜面１０９、支持板部８５、支持縁部１１２、左側面部１０３および右側面部８７により位置規制されるよう構成される。なお、検出センサユニット１２６から導出する配線１２６Ｘは、前記配線通孔９０を介して設置収容部６２の外部に引き出され、前記第１中継基板５５に接続される。そして、検出センサユニット１２６の出力信号は、第１中継基板５５を介して主制御装置３１に入力されるようになっている。
【００４３】
前記検出口１３０の直径は、前記検出用金属球１２７の直径より僅かに大きく設定されている。前記検出口１３０には、開口縁に沿って検出コイル１３１(図１８参照)が巻装されており、該検出コイル１３１により検出口１３０の周囲に磁界を発生させるようになっている。図１８に示すように、前記センサ装置本体１２９には、発振回路Ｆ、発振検出回路Ｇおよび出力回路Ｈが形成されている。図１９(ａ)に示すように、前記発振回路Ｆは、検出口１３０の磁界中に磁性体(検出用金属球１２７)が存在しない状態で、高周波(例えば、１ＭＨｚ)で発振するようになっている。また、図１９(ｂ)に示すように、前記検出口１３０の磁界中に磁性体(検出用金属球１２７)が存在すると、発振回路Ｆは、発振を停止または減衰させるようになっている。なお、実施例の発振回路Ｆは、検出口１３０に磁性体(検出用金属球１２７)が存在した状態で、発振を停止させるように設定されている。
【００４４】
前記発振検出回路Ｇは、前記発振回路Ｆの発振状態を検出して、当該発振状態に応じた信号を出力するものである。図１９(ａ)に示すように、発振検出回路Ｇは、発振回路Ｆの発振を検出すると発振検出信号を前記出力回路Ｈに出力すると共に、図１９(ｂ)に示すように、発振回路Ｆが発振を停止または減衰(実施例では、発振の停止)を検出すると出力回路Ｈに発振停止検出信号を出力するよう構成される。すなわち、検出センサユニット１２６は、磁性体の有無により、発振検出回路Ｇが発振を検出した発振検出状態(第１状態)と、発振検出回路Ｇが発振の停止を検出した発振非検出状態(第２状態)とに状態変化可能に構成されている。
【００４５】
前記出力回路Ｈは、前記発振検出回路Ｇから発振検出信号が入力されると、前記ハイレベル信号を出力し、該発振検出回路Ｇから発振停止検出信号が入力されると、前記ローレベル信号を出力するようになっている。なお、図１９(ｂ)に示すように、ローレベル信号は、０より僅かに大きな値となっている。出力回路Ｈから出力されたハイレベル信号およびローレベル信号は、主制御装置３１に入力される。前記検出用金属球１２７は、前記発振回路Ｆの発振を停止させて検出センサユニット１２６を発振非検出状態に維持する(状態変化手段を第２状態に維持する)ものである。実施例では、検出用金属球１２７として、磁性体であるパチンコ球が用いられている。図１３に示すように、検出用金属球１２７は、前記設置収容部６２に収容された際に、前記前設置凹部１０７および後設置凹部８９により挟持されて、検出口１３０内に位置するよう保持される。すなわち、検出用金属球１２７は、検出口１３０との相対的な位置関係がズレることなく設置収容部６２に保持されて、検出用金属球１２７の中心が検出口１３０における開口方向の中央部に略一致するようになっている。
【００４６】
そして、検出用金属球１２７が検出口１３０内に保持されることで、不正検出装置１２５は、前記不正電波行為が行われていない正常時では、検出用金属球１２７により発振回路Ｆの発振が停止され、検出センサユニット１２６は発振非検出状態に維持される。従って、発振検出回路Ｇは、発振停止検出信号を出力し、出力回路Ｈからローレベル信号が出力されるので、図２０に示すように、前記主制御装置３１に対して常にローレベル信号が入力される。一方、検出センサユニット１２６が発振非検出状態にある場合において、前記電波発生器Ｅから電波が検出センサユニット１２６に放射されると、図２１に示すように、発振回路Ｆは発振を停止しているのにも拘わらず、電波によって断続的な発振が強制的に生起される。従って、不正電波行為が行われると、発振検出回路Ｇが断続的な発振を検出して、発振検出信号および発振停止検出信号を交互に出力するようになっている。これにより、図２０に示すように、前記出力回路Ｈは、ハイレベル信号およびローレベル信号を主制御装置３１に交互に出力する。なお、実施例に係る不正検出装置１２５では、検出センサユニット１２６における電波の検出範囲が、図２２に示す如く、前記検出口１３０の開口方向側(図２２では上下方向)が大きくなっている。すなわち、検出センサユニット１２６は、検出口１３０の開口方向の延長線上に位置させた電波発生器Ｅから放射される電波に反応し易い構成となっている。
【００４７】
ここで、発光演出装置５０を設置部材１４に取り付けた状態において、前記不正検出装置１２５は、遊技盤１２の後方であって、前記始動入賞装置３５および演出飾り部４３の間に位置するようになっている。従って、遊技盤１２の前側斜め上方から該遊技盤１２を介して発光演出装置５０(不正検出装置１２５)を視認することは可能となっている。しかしながら、不正検出装置１２５は、円状発光部６４と下発光部６３との間に位置して、両発光部６４,６３と夫々隣接している。これにより、図１２に示す如く、不正検出装置１２５は、円状発光部６４の照射範囲および下発光部６３の照射範囲から外れた位置に位置して、不正検出装置１２５に円状発光部６４および下発光部６３の光が直接照射されないようになっている。すなわち、不正検出装置１２５は、円状発光部６４および下発光部６３から照射される光の陰に隠れた位置に位置して、遊技盤１２の前側から視認し難くなっている。
【００４８】
また、不正検出装置１２５は、設置部材１４を遊技盤１２に取り付けた状態で、不正電波行為の対象となり易い始動入賞装置３５や第１,第２特別入賞装置３８,４０に近接する(図４参照)。そして、前記検出センサユニット１２６は、上方から下方に向けて後方に傾斜した姿勢で設置収容部６２に収容されているから、図１２に示すように、前記検出口１３０の開口方向が後方から前方に向けて下方傾斜する方向となる。すなわち、検出口１３０の開口方向を遊技盤１２の前側下方へ向けて指向させることで、遊技盤１２の前側下方にセットした電波発生器Ｅから放射される不正電波を捉え易くしている。
【００４９】
〔主制御装置の不正判定について〕
前述のように、前記主制御装置３１は、正常時(発振非検出状態)には、不正検出装置１２５からローレベル信号が入力される(図２０参照)。また、不正電波行為により検出センサユニット１２６が発振検出状態に状態変化されると、出力回路Ｈからハイレベル信号およびローレベル信号を周期的に繰り返す波形が入力される。そして、主制御装置３１は、不正検出装置１２５からの信号がローレベル信号からハイレベル信号に切り換わったときに、不正電波行為が発生したと判定するようになっている(図２０,図２１参照)。すなわち、検出用金属球１２７により発振非検出状態に維持されているのに拘わらず検出センサユニット１２６が発振検出状態に強制的に状態変化された場合に、主制御装置３１は不正電波行為を検出する。
【００５０】
ここで、不正行為者により検出センサユニット１２６から導出する配線１２６Ｘを切断されたり、検出センサユニット１２６から引き抜かれたりした場合(以下、断線行為という)、図２０に示すように、出力回路Ｈから信号が出力されなくなる(すなわち、信号が０となる)。そこで、主制御装置３１は、前記断線行為により、出力回路Ｈからの出力がなくなったときに、断線行為が発生したと判定するよう設定されている。また、不正行為者が検出ユニットから検出用金属球１２７を抜き取った場合(以下、球抜行為という)、発振回路Ｆは発振を再開して、前記検出センサユニット１２６が発振検出状態に維持される。このため、前記電波発生器Ｅからの電波を受けても発振回路Ｆの発振は継続されるから、図２０に示すように、出力回路Ｈからハイレベル信号が出力され続ける。この場合、電波を受けても出力回路Ｈから出力される信号が切り換わらなくなるから、不正電波行為を検出し得なくなってしまう。そこで、主制御装置３１は、前記球抜行為により、出力回路Ｈからの出力がローレベル信号からハイレベル信号に切り換わったときに、球抜行為が発生したと判定するようになっている。なお、不正磁気行為については、前記磁気センサ８３から磁気検出信号が入力されたときに、主制御装置３１が不正磁気行為の発生を判定する。
【００５１】
〔不正判定時の制御構成について〕
次に、不正判定時における主制御装置３１の制御構成について、以下説明する。前記主制御装置３１は、前記断線行為および球抜行為を含む不正電波行為や不正磁気行為の発生を検出すると、これら不正行為の発生を報知する制御を行う。すなわち、主制御装置３１は、前記統括制御装置１９に制御信号を出力して前記液晶表示装置１５やランプ装置１８、スピーカ２２に不正行為の発生を報知させる。ここで、図２３に示すように、実施例に係るパチンコ機１０では、不正電波行為(断線行為および球抜行為を含む)および不正磁気行為で、液晶表示装置１５、ランプ装置１８およびスピーカ２２での作動態様が異なっている。従って、主制御装置３１は、発生した不正行為に対応した制御信号を統括制御装置１９に出力するよう構成される。具体的には、不正電波行為が発生した場合には、液晶表示装置１５の表示部１５ａに不正電波行為発生の旨を表示させると共に、スピーカ２２に不正電波行為発生の旨を音声出力させる。更に、前記ランプ装置１８を第１の色(実施例では、緑色)で発光させて、不正電波行為の発生を報知させる。また、不正磁気行為が発生した場合には、液晶表示装置１５の表示部１５ａに不正磁気行為発生の旨を表示させると共に、スピーカ２２に不正磁気行為発生の旨を音声出力させる。更に、ランプ装置１８を第２の色(実施例では、紫色)で発光させて、不正磁気行為の発生を報知する。
【００５２】
また、主制御装置３１は、不正電波行為および不正磁気行為を検出した際に、前記外部端子板５８を介してホールコンピュータ５９にセキュリティー信号を出力するよう設定されている。実施例では、不正電波行為および不正磁気行為の何れの場合も、同一のセキュリティー信号が出力されるようになっている。前記ホールコンピュータ５９では、セキュリティー信号が入力されると、不正行為の発生を該ホールコンピュータ５９の図示しないディスプレイ等に表示させて、管理者等に不正行為の発生を報知させるようになっている。ここで、何れの不正行為が発生しても、同一のセキュリティー信号がホールコンピュータ５９に入力されるので、前記ディスプレイでの表示内容は同一となるものの、液晶表示装置１５やランプ装置１８、スピーカ２２における作動態様は、不正電波行為および不正磁気行為で異なっていることから、何れの不正行為が発生したかを判別することは可能となる。
【００５３】
〔実施例の作用〕
次に、前述した実施例に係るパチンコ機１０の作用について、以下説明する。
【００５４】
〔発光演出装置について〕
発光演出装置５０を組み付ける際には、前記円状装飾部７０を円状拡散部８０の前側に取り付けると共に、不正検出装置１２５を後側構成部８４および前側構成部１００の間に臨ませた状態で、前ケース部材６１をベース基板６７に取り付ける。これにより、検出センサユニット１２６は、センサ装置本体１２９の隅部が設置収容部６２の突状部１０８の後側に臨んだ状態となって、前記底部支持片８６、上斜面１０９、支持板部８５、支持縁部１１２、左側面部１０３および右側面部８７により検出センサユニット１２６が位置規制される(図１３参照)。このとき、検出センサユニット１２６は、支持板部８５および支持縁部１１２と平行な傾斜姿勢となる。また、検出用金属球１２７が後設置凹部８９および前設置凹部１０７に挟持されて、検出用金属球１２７が検出口１３０内に保持される。すなわち、検出センサユニット１２６および検出用金属球１２７は、設置収容部６２に位置決めされた状態で収容されるので、検出用金属球１２７および検出口１３０の相対位置がズレるのは防止され、検出用金属球１２７は、検出口１３０の開口方向における略中央位置に保持される。従って、検出用金属球１２７を検出コイル１３１の誘導磁界内に正確に位置させることができ、検出センサユニット１２６を発振非検出状態に確実に維持させることが可能となる。
【００５５】
このように、不正検出装置１２５を設置収容部６２に収容するだけで、検出センサユニット１２６および検出用金属球１２７の適切な位置関係が規定されるから、両者１２６,１２７の位置関係を確保するための慎重な作業を要することなく、組み付け作業を極めて効率的にすることができる。また、検出センサユニット１２６および検出用金属球１２７を適切な位置関係で保持するための複雑な構造を要しないから、コストを低廉にし得る。しかも、球体の検出用金属球１２７を採用することで、該検出用金属球１２７の姿勢を考慮することなく検出口１３０内に位置させればよく、検出用金属球１２７の組み付けが簡単となる。また、実施例では、検出センサユニット１２６として、既存の検出センサＤと基本構成が同一のものを採用し、検出用金属球１２７としてのパチンコ球により検出センサユニット１２６を発振非検出状態に維持する構成とした。従って、検出センサユニット１２６や検出用金属球１２７を新たに開発、製造する必要がなく、コストを低廉にし得る。
【００５６】
次いで、左柱状拡散部７１および右柱状拡散部７２をベース基板６７の左透過部８１および右透過部８２の前側に夫々取り付けると共に、左柱状拡散部７１および右柱状拡散部７２の前側に、左柱状装飾体７３および右柱状装飾体７４を夫々取り付ける。更に、左発光基板６８および右発光基板６９をベース基板６７の後面に取り付けると共に、前ケース部材６１の設置面部９８の後面に下発光部６３を取り付けることで、発光演出装置５０が組み付けられる。不正検出装置１２５は、図１５に示すように、円状発光部６４および下発光部６３の間に位置して、両発光部６４,６３に夫々隣接した位置関係となる。また、図１３に示す如く、設置収容部６２の前面部１０１(突状部１０８の頂部)は、下発光部６３の後方であって、円状発光部６４の前方に位置する。ここで、不正検出装置１２５や円状発光部６４、下発光部６３を夫々別の部材に設置したり、夫々独立して設置部材１４に取り付ける構成とした場合には、組付時の誤差等により不正検出装置１２５と両発光部６４,６３との相対的な位置関係がズレてしまう虞がある。この場合、不正検出装置１２５が円状発光部６４および下発光部６３の照射範囲内に位置し、該不正検出装置１２５が照らされてしまう虞がある。しかるに、実施例では、不正検出装置１２５、円状発光部６４および下発光部６３を１つの発光演出装置５０に設ける構成としたから、これら３つの部材１２５,６４,６３を常に適正な位置関係とすることができる。
【００５７】
次に、発光演出装置５０を設置部材１４に取り付ける。このとき、発光演出装置５０は、不正検出装置１２５および４つの発光部６３,６４,６５,６６を一体的に備えた１つのユニットとして扱い得るから、不正検出装置１２５、円状発光部６４および下発光部６３の適正な位置関係を保持した状態で、設置部材１４に発光演出装置５０を容易に取り付けることが可能となる。そして、設置部材１４を遊技盤１２の後面に配設すると、図４に示すように、不正検出装置１２５は、始動入賞装置３５、第１,第２特別入賞装置３８,４０の後方に近接する。また、不正検出装置１２５は、検出センサユニット１２６が傾斜姿勢で保持されるから、検出口１３０の開口方向は、後方から前方に向けて下方傾斜した方向となる。従って、図１２に示す如く、遊技盤１２の前側下方から前記始動入賞装置３５や第１,第２特別入賞装置３８,４０に向けて放射された電波を不正検出装置１２５が捉え易くなり、不正電波行為を的確に検出することが可能となる。
【００５８】
パチンコ機１０に電源が投入されると、前記統括制御装置１９の発光制御に基づいて、発光演出装置５０の各発光部６３,６４,６５,６６が所定の発光態様で発光して発光演出が行われる。このとき、円状発光部６４、左柱状発光部６５および右柱状発光部６６から照射された光は、前記遊技盤１２を透過して遊技者に視認されるので、遊技の興趣を高めることができる。また、下発光部６３から照射された光は、前記遊技盤１２の演出飾り部４３を明輝させるので、遊技盤１２の装飾効果が向上される。しかも、不正検出装置１２５は、図１２に示す如く、各発光部６４,６３の照射範囲から外れた位置に位置している。従って、円状発光部６４および下発光部６３から照射される光によって不正検出装置１２５が照らされることはない。これにより、不正行為者が不正検出装置１２５を発見するのが困難となって、不正検出装置１２５の検出範囲を避けるように電波を放射する行為を抑制することが可能となる。なお、不正検出装置１２５は、前記左柱状発光部６５および右柱状発光部６６の照射範囲から外れた位置にあるから、これら発光部６５,６６の光で不正検出装置１２５が照らされることもない。
【００５９】
図１３に示すように、前記設置収容部６２の上斜面１０９は、円状発光部６４の照射範囲から退避するように傾斜しているから、円状発光部６４の光により設置収容部６２(前面部１０１)が照らされることがなく、不正行為者が不正検出装置１２５を発見するのは困難となる。しかも、前面部１０１の上斜面１０９を円状発光部６４の光から退避するように傾斜させることで、上斜面１０９を水平面とした場合に較べ、設置収容部６２の設置位置を前側に位置させることができる。これにより、不正検出装置１２５を極力前側に位置させることができ、遊技盤１２の前方から放射される電波を捉え易くすることができる。しかも、設置収容部６２において遊技者側から目に付きやすい前面部１０１、上面部８８および左側面部１０３には、表面全体に目隠し処理が施されているから、遊技盤１２を介して設置収容部６２を視認されたとしても、内部の不正検出装置１２５を視認するのは困難とされる。
【００６０】
〔不正行為時の作用について〕
次に、不正電波行為が行われた場合の作用について、説明する。不正検出装置１２５は、不正電波行為が行われていない正常時では、前記検出用金属球１２７により検出センサユニット１２６が発振非検出状態に維持されて、出力回路Ｈからローレベル信号が出力されている。従って、図２０に示すように、正常時においては、主制御装置３１にローレベル信号が入力され続ける。不正行為者により遊技盤１２の前側下方から電波が放射されると、図２１に示すように、発信検出回路Ｇが断続的な発振を誤検出して、出力回路Ｈは、ローレベル信号およびハイレベル信号を交互に繰り返し出力する。そして、主制御装置３１は、出力回路Ｈからの信号がローレベル信号からハイレベル信号に切り換わったときに、不正電波行為が発生したと判定する。すなわち、実施例の不正検出装置１２５によれば、電波により検出センサユニット１２６が発振非検出状態から発振検出状態に変化するので、簡単な構造により不正電波行為を極めて容易に検出し得る。そして、実施例では、出力回路Ｈからの出力がローレベル信号からハイレベル信号に切り換わったことで、主制御装置３１が不正電波行為の発生を判定するので、極めて簡単な制御で不正電波行為を検出することができる。従って、主制御装置３１での制御負担を少なくすることができ、誤判定が生ずる可能性も少なくなる。また、検出センサユニット１２６に電波を検出するための回路等を別途形成することなく、既存の検出センサＤと同じものを検出センサユニット１２６として採用し得るから、不正検出装置１２５の製造コストを抑制することができる。
【００６１】
不正電波行為の発生を判定すると、主制御装置３１は、統括制御装置１９に制御信号を出力して、液晶表示装置１５、ランプ装置１８およびスピーカ２２に不正電波行為の発生を報知させる。すなわち、図２３に示すように、液晶表示装置１５は、表示部１５ａに不正電波行為発生の旨を表示させると共に、スピーカ２２が不正電波行為発生の旨を音声出力する。更に、前記ランプ装置１８が第１の色(緑色)で発光体を発光させて、不正電波行為の発生を遊技場の従業員等に報知させる。このように、不正電波行為が発生すると、直ちに当該不正の発生を液晶表示装置１５等が報知するから、不正電波行為の発生を遊技場内の従業員等に速やかに知らせることができる。しかも、液晶表示装置１５やスピーカ２２等には、不正電波行為の発生の旨が報知されると共に、ランプ装置１８が不正電波行為に対応した第１の色で発光するから、従業員等は、何れの不正行為が発生したかについても容易に判別することができ、迅速に対応することができる。
【００６２】
更に、主制御装置３１は、外部端子板５８を介してホールコンピュータ５９にセキュリティー信号を出力する。セキュリティー信号を受けたホールコンピュータ５９は、ディスプレイに何らかの不正行為が発生した旨を表示させて、管理室の管理者等に報知させる。このように、不正電波行為の発生が判定されると、パチンコ機１０だけでなく、ホールコンピュータ５９にも報知されるので、仮に遊技場の従業員等が不正の発生に気付かなかったとしても、管理室の管理者等に不正の発生を知らせることができる。なお、ホールコンピュータ５９には、同一のセキュリティー信号が入力されるから、前記ディスプレイでの表示内容は何れの不正行為(不正電波行為または不正磁気行為)が生じた場合でも同一となる。しかるに、前述のように、液晶表示装置１５やランプ装置１８、スピーカ２２において不正電波行為である旨が報知されるから、従業員等は、不正電波行為が発生したことを認識することができる。
【００６３】
次に、前記断線行為が行われた場合には、図２０に示すように、出力回路Ｈから主制御装置３１に信号が入力されなくなる。出力回路Ｈからの入力がなくなると、主制御装置３１は、断線行為が発生したと判定して、前述した不正電波行為の場合と同じ対応を行う。すなわち、液晶表示装置１５の表示部１５ａに不正電波行為発生の旨が表示されると共に、スピーカ２２が不正電波行為発生の旨を音声出力する。また、前記ランプ装置１８を第１の色で発光させて、不正電波行為の発生を遊技場の従業員等に報知させる。更に、主制御装置３１は、ホールコンピュータ５９にセキュリティー信号を出力して、ホールコンピュータ５９のディスプレイに何らかの不正行為が発生した旨を表示させる。このように、実施例では、断線行為が行われた場合にも、当該行為を検出し得るので、検出センサユニット１２６の配線１２６Ｘを切断して、不正検出装置１２５が無効化されるのを防止し得る。
【００６４】
また、前記球抜行為が行われた場合には、検出用金属球１２７が検出口１３０から取り外されることで、前記発振回路Ｆが発振を開始する。従って、発振検出回路Ｇが発振を検出して、検出センサユニット１２６が発振検出状態に状態変化する。これにより、図２０に示すように、出力回路Ｈの出力信号はローレベル信号からハイレベル信号に切り換わる。そこで、主制御装置３１は、出力回路Ｈから入力される信号がローレベル信号からハイレベル信号に切り換わったときに、球抜行為が発生したと判定して、前述した不正電波行為の場合と同じ対応を行って、不正の発生を報知する。このように、実施例では、球抜行為が行われた場合においても、当該不正行為を検出し得るので、検出用金属球１２７を検出口１３０から取り外して、不正検出装置１２５が無効化されるのを防止することができる。
【００６５】
なお、不正磁気行為が行われた場合には、磁石等の磁気を磁気センサ８３が検出して、磁気検出信号を主制御装置３１に出力する。磁気センサ８３から検出信号が入力されると、主制御装置３１は、不正磁気行為が発生したと判定して、当該不正行為を液晶表示装置１５等に報知させる。すなわち、主制御装置３１は、統括制御装置１９に制御信号を出力して、液晶表示装置１５、ランプ装置１８およびスピーカ２２に不正電波行為の発生を報知させる。具体的には、図２３に示すように、液晶表示装置１５の表示部１５ａに不正磁気行為発生の旨を表示させると共に、スピーカ２２に不正磁気行為発生の旨を音声出力させる。更に、前記ランプ装置１８が第２の色(紫色)で発光体を発光させて、不正磁気行為の発生を遊技場の従業員等に報知させる。このように、不正磁気行為が発生した場合にも、当該不正行為の発生を直ちに従業員等に報知することができる。しかも、液晶表示装置１５やスピーカ２２等の出力内容やランプ装置１８の発光色から不正磁気行為が発生したのを判別し得るから、従業員等は、当該不正磁気行為に素早く対応することができる。なお、主制御装置３１は、不正磁気行為が発生した場合にも、セキュリティー信号をホールコンピュータ５９に出力する。従って、ホールコンピュータ５９のディスプレイに何らかの不正行為が発生した旨が表示されて、管理室の管理者等は、不正行為の発生を知ることができる。
【００６６】
〔変更例〕
なお、前述した実施例は、以下に示す通り、種々の変更が可能である。
（１）実施例では、不正検出手段が２つの発光部(円状発光部および下発光部)の間に位置する構成としたが、不正検出手段を３つ以上の発光部の間に位置させてもよい。この場合、不正検出手段は、各発光部に隣接すると共に、全ての発光部の照射範囲から外れた位置に位置するよう設けられる。
（２）実施例では、不正検出手段および発光部を発光演出装置に設けた場合を示したが、不正検出手段および発光部を設置部材に直接設けたり、他の遊技機構成部材に設けてもよい。また、不正検出手段および発光部を直接または遊技機構成部材を介して遊技盤に設けてもよい。
（３）実施例では、設置収容部を発光演出装置に設けたが、設置収容部を設置部材や遊技盤に設けてもよい。また、実施例では、設置収容部を後側構成部および前側構成部で構成したが、設置収容部を１つの部材から構成してもよい。
（４）実施例では、不正検出手段は、下発光部の後方に位置する構成としたが、円状発光部および下発光部の照射範囲から外れた位置であれば、不正検出手段を下発光部より前方に位置させてもよい。また、不正検出手段を全ての発光部より後方に位置させることも可能である。
（５）実施例では、遊技盤を透明部材で構成したが、遊技盤をベニヤ等の不透明な部材から構成してもよい。この場合、不正検出手段を遊技盤に設けたり、遊技盤の図柄表示開口部を介して視認し得る位置に設置しても、発光部の照射範囲から外れた位置に不正検出手段を位置させることで、該不正検出手段を発見し難くし得る。
（６）実施例では、主制御装置は、外部端子板を介して前記ホールコンピュータに電気的に接続する構成とした。そして、主制御装置からのセキュリティー信号は、外部端子板を介してホールコンピュータに入力されるようになっていた(図８参照)。しかしながら、例えば、図２４に示すように、外部端子板１５１を払出制御装置２９に接続して、主制御装置３１が、第３中継基板５７、払出制御装置２９、外部端子板１５１を介してホールコンピュータ５９に電気的に接続する構成としてもよい。この場合、主制御装置３１から出力されたセキュリティー信号は、第３中継基板５７→払出制御装置２９→外部端子板１５１を経てホールコンピュータ５９に入力される。
（７）実施例では、何れの不正行為が発生した場合も、主制御装置が同一のセキュリティー信号を出力する構成とした。しかしながら、主制御装置が出力するセキュリティー信号を不正行為毎に変更して、ホールコンピュータでの表示内容が不正行為毎に異なるようにしてもよい。このように、不正行為の種類に応じたセキュリティー信号を出力すれば、ホールコンピュータにおいて、不正電波行為または不正磁気行為の何れが発生したかを管理者等が簡単に判別することができる。
（８）実施例では、断線行為や球抜行為が発生した場合にも、不正電波行為の発生時と同じように液晶表示装置等に報知させる構成とした。しかしながら、断線行為や球抜行為が生じた場合に、夫々異なる態様で報知させるようにしてもよい。例えば、断線行為が発生した場合には、液晶表示装置やスピーカに断線行為が発生した旨を報知させると共に、ランプ装置を第３の色(例えば赤色)で発光させる。また、球抜行為が発生した場合には、液晶表示装置やスピーカに球抜行為が発生した旨を表示させると共に、ランプ装置を第４の色(例えば白色)で発光させる等して、断線行為や球抜行為についても夫々判別し得るようにしてもよい。
（９）実施例では、発振検出状態で出力回路がハイレベル信号を出力し、発振非検出状態で出力回路がローレベル信号を出力する構成とし、ハイレベル信号が出力されたときに主制御装置が不正電波行為の発生を判定する構成とした。しかしながら、出力回路が出力する信号としては、発振検出状態および発振非検出状態に対応した２種類の信号であれば、如何なる信号であってもよい。例えば、実施例とは反対に、発振検出状態でローレベル信号を出力し、発振非検出状態でハイレベル信号を出力する構成としてもよい。この場合、ローレベル信号が入力されたときに、主制御装置は不正電波行為が発生したと判定する。
（１０）実施例では、検出センサユニット(状態維持手段)が電波により発振非検出状態(第２状態)から発振検出状態(第１状態)に状態変化される構成とした。しかしながら、磁気により状態変化手段が第２状態から第１状態に変化される構成として、磁気によって、例えば上部始動球検出センサや下部始動球検出センサ、特別球検出センサ等を誤作動させる行為を検出し得るようにしてもよい。
（１１）実施例では、状態維持手段としてパチンコ球である検出用金属球を採用したが、状態維持手段としては、発振回路の発振を停止または減衰させ得る磁性体であれば、如何なるものであってもよい。例えば、角柱状や円柱状の金属体を状態維持手段として採用し得る。
（１２）実施例では、上下左右の枠部材を組み付けて中枠を構成したが、中枠を一体物で構成してもよい。
【符号の説明】
【００６７】
１２  遊技盤
１４  設置部材
３１  主制御装置(制御手段)
３４  遊技領域
５０  発光演出装置(遊技機構成部材)
６２  設置収容部
６３  下発光部
６４  円状発光部
１０９  上斜面(逃げ部)
１２５  不正検出装置(不正検出手段)
１２６  検出センサユニット(状態変化手段)
１２７  検出用金属球１２７(状態維持手段,金属球,遊技球)
１３０  検出口
１３１  検出コイル
Ｆ  発振回路
Ｇ  発振検出回路
【図１】
0005508341.tif 000002
【図２】
0005508341.tif 000003
【図３】
0005508341.tif 000004
【図４】
0005508341.tif 000005
【図５】
0005508341.tif 000006
【図６】
0005508341.tif 000007
【図７】
0005508341.tif 000008
【図８】
0005508341.tif 000009
【図９】
0005508341.tif 000010
【図１０】
0005508341.tif 000011
【図１１】
0005508341.tif 000012
【図１２】
0005508341.tif 000013
【図１３】
0005508341.tif 000014
【図１４】
0005508341.tif 000015
【図１５】
0005508341.tif 000016
【図１６】
0005508341.tif 000017
【図１７】
0005508341.tif 000018
【図１８】
0005508341.tif 000019
【図１９】
0005508341.tif 000020
【図２０】
0005508341.tif 000021
【図２１】
0005508341.tif 000022
【図２２】
0005508341.tif 000023
【図２３】
0005508341.tif 000024
【図２４】
0005508341.tif 000025